(57)【要約】【課題】既設の建物であっても床の下方空間に空調装置が設置できるうえに、設置後の空調装置の維持管理が容易になる空調システムを提供する。【解決手段】建物の床下空間１ａに床下空調機２が設置される空調システムである。  そして、床１１に開口される開口部１１ａと、開口部を通過可能な大きさに分割可能な床下空調機２とを備えている。  ここで、床下空調機２は、熱交換部２１と送風部２２とに分割されるとともに、床下空間１ａに配置後は、熱交換部２１と送風部２２とが開閉可能に連結される構成とすることが好ましい。【選択図】図１
2015114034.tif 000002
【特許請求の範囲】
【請求項１】
建物の床の下方空間に空調装置が設置される空調システムであって、
前記床に開口される開口部と、
前記開口部を通過可能な大きさに分割可能な空調装置とを備えたことを特徴とする空調システム。
【請求項２】
前記空調装置は、熱交換部と送風部とに分割されるとともに、前記下方空間に配置後は、前記熱交換部と前記送風部とが開閉可能に連結されることを特徴とする請求項１に記載の空調システム。
【請求項３】
既設の建物の床の下方空間に空調装置を設置する空調装置の設置方法であって、
前記床を切断して開口部を設ける工程と、
前記開口部を通過可能な大きさに分割された空調装置をそれぞれ前記開口部から前記下方空間に搬入する工程と、
前記下方空間において前記分割された空調装置を組み立てる工程とを備えたことを特徴とする空調装置の設置方法。
【発明の詳細な説明】
【技術分野】
【０００１】
本発明は、建物の床の下方空間に空調装置が設置される空調システム、及び既設の建物の床の下方空間に空調装置を設置するための空調装置の設置方法に関するものである。
【背景技術】
【０００２】
建物の床下空間に空調装置の室内機を設置して、建物全体を冷房したり暖房したりする空調システムが知られている。例えば特許文献１，２には、建物の外部に設置された室外機と、床下空間に設置された室内機と、床下空間に配管されて室内機に接続されるダクトと、ダクトの端部に床上空間に向けて設けられる排気口及び給気口とを備えた空調システムが開示されている。
【０００３】
この空調システムでは、床上の例えば居室の空気が排気口から流れ込み、室内機で冷房又は暖房として調整された後に、ダクトを通って給気口から居室に冷気又は暖気が供給される。
【０００４】
また、特許文献３には、１階と２階との間の階間空間に空調装置を設置する空調システムが開示されている。この空調システムでは、２階の床に開口部が設けられ、空調装置のメンテナンスが行いやすくなっている。なお、この空調装置は、本体ケースの内部が仕切板によって２つの空間に分割されており、一方の空間にファン設置室が設けられ、他方の空間に熱交換室が設けられている。
【０００５】
さらに、特許文献４には、浴室の天井裏に容易に空調装置を取り付けることができるようにするために、天井裏面にレール架台を設置し、そのレール架台上を摺動させながら空調装置を設置する方法が開示されている。
【先行技術文献】
【特許文献】
【０００６】
【特許文献１】特開２０１０−２４３１４２号公報
【特許文献２】特開２０１１−９９６７４号公報
【特許文献３】特開２００７−２４３５８号公報
【特許文献４】特開２００７−１１３８４８号公報
【特許文献５】実開平０１−１３６８２５号公報
【発明の概要】
【発明が解決しようとする課題】
【０００７】
しかしながら特許文献１−３に開示されているような床下空間に設置される室内機は大型であるため、床が後から構築される建物の新築時には容易に設置することができるが、既設の建物に新たに設置するのは難しい。例えば、特許文献５に開示されているように、取り外し可能な分割型前面グリルは知られているが、前面グリルを取り外したとしても空調装置全体の大きさはほとんど変わらない。
【０００８】
そこで、本発明は、既設の建物であっても床の下方空間に空調装置が設置できるうえに、設置後の空調装置の維持管理が容易になる空調システム、及び既設の建物に適用可能な空調装置の設置方法を提供することを目的としている。
【課題を解決するための手段】
【０００９】
前記目的を達成するために、本発明の空調システムは、建物の床の下方空間に空調装置が設置される空調システムであって、前記床に開口される開口部と、前記開口部を通過可能な大きさに分割可能な空調装置とを備えたことを特徴とする。
【００１０】
ここで、前記空調装置は、熱交換部と送風部とに分割されるとともに、前記下方空間に配置後は、前記熱交換部と前記送風部とが開閉可能に連結される構成とすることが好ましい。
【００１１】
また、本発明の空調装置の設置方法は、既設の建物の床の下方空間に空調装置を設置する空調装置の設置方法であって、前記床を切断して開口部を設ける工程と、前記開口部を通過可能な大きさに分割された空調装置をそれぞれ前記開口部から前記下方空間に搬入する工程と、前記下方空間において前記分割された空調装置を組み立てる工程とを備えたことを特徴とする。
【発明の効果】
【００１２】
このように構成された本発明の空調システムでは、床に開口部が開口されるとともに、空調装置は開口部を通過可能な大きさに分割可能な構成となっている。
【００１３】
このため、既設の建物の床の下方空間にも空調装置を設置することができるようになる。また、開口部を利用することで、床の下方空間に設置される空調装置の維持管理を容易に行うことができる。
【００１４】
また、空調装置が熱交換部と送風部とに分割されるとともに、熱交換部と送風部とが開閉可能に連結される構成となっていれば、床の上から床の下方空間への搬入が容易にできるうえに、使用後も空調装置を開いて容易に修理などを行うことができる。
【００１５】
さらに、本発明の空調装置の設置方法では、建物の床を切断して開口部を設け、その開口部を通過可能な大きさに分割された空調装置をそれぞれ下方空間に搬入する。このため、既設の建物の床の下方空間に空調装置を設置することができる。
【図面の簡単な説明】
【００１６】
【図１】本発明の実施の形態の床下空調機の設置方法における分割された床下空調機を床下空間に搬入する工程を示した説明図である。
【図２】床下空間に設置される床下空調機が組み込まれた空調システムの全体構成を示した説明図である。
【図３】床下空調機の構成を説明する平面図である。
【図４】床下空調機の構成を説明する斜視図である。
【図５】分割された床下空調機を床下空間で組み立てる工程を示した説明図である。
【図６】床下空間で床下空調機に支持枠部を取り付ける工程を示した説明図である。
【図７】床下空調機の設置構造の構成を説明する斜視図である。
【図８】床下空調機の設置構造の細部を説明する斜視図である。
【図９】床下空調機の上面に断熱材を取り付ける工程を示した説明図である。
【図１０】床下空調機の設置構造の構成を説明する側面図である。
【発明を実施するための形態】
【００１７】
以下、本発明の実施の形態について図面を参照して説明する。図１は、本実施の形態の空調装置としての床下空調機２の設置方法を説明する図である。そして、図２は、この床下空調機２が組み込まれる本実施の形態の空調システム全体の概略構成を示した説明図である。
【００１８】
以下では、既設の住宅(建物)を改修して新たに空調システムを導入する場合について説明する。住宅としては、複数の建物ユニット１，・・・（図１０参照）を上下左右に連結して構成されるユニット建物１０を例にして説明する。
【００１９】
建物ユニット１は、鋼製の柱と梁とを接合させた直方体状の骨組みを備えている。柱と梁とを溶接によって剛接合させるとラーメン構造体の骨組みとなる。そして床１１は、図７，１０に示すように、建物ユニット１の骨組みとして略平行に配置される床梁１２，１２と、床梁１２，１２間に間隔を置いて略平行に架け渡される複数の床小梁１３，・・・とによって支持されている。ここでは図１に示すように、床小梁１３，・・・の上に略直交する方向に向けて複数の床根太１４，・・・を略平行に配置するが、省略することもできる。
【００２０】
この床１１には、図１，２に示すように開口部１１ａを設けて、そこから床１１の下方空間である床下空間１ａに空調システムに必要な機材を搬入する。このユニット建物１０の基礎は、布基礎１５となっており、メンテナンス用の基礎開口１５ａが建築当初から設けられている。
【００２１】
そして、床下空間１ａに設置される床下空調機２と布基礎１５の外側に設置される室外機２３とを繋ぐ冷媒管２３ａ，２３ａは、基礎開口１５ａを通して配管される。また、床下空調機２から延びる排水用のドレン管２４も、基礎開口１５ａを通って屋外に引き出される。
【００２２】
また、床下空調機２の駆動源となる電力は、既設の分電盤２７から電源線２７ａを介して供給される。さらに、床下空調機２の設定温度や運転モードを制御するリモコン２８の接続も行われる。
【００２３】
一方、床１１には、室内の空気を取り込むための吸込みグリル２５ａ，２５ａが開口される。この吸込みグリル２５ａ，２５ａから流れ込んだ空気は、断熱ダクト２５，２５を通って床下空調機２に送られる。また、床下空調機２の内部で所定の温度又は湿度に調整された空気は、断熱ダクト２６を通って吹出しグリル２６ａ，２６ａから室内に供給される。
【００２４】
図３に、床下空調機２を上から見た平面図を示した。この床下空調機２は、ヒートポンプ式の空調システムの室内機であって、空気の熱交換を行わせる熱交換部２１と、熱交換によって調整された空気を排出させる送風部２２とを備えている。
【００２５】
熱交換部２１及び送風部２２は、図４に示すように直方体状の外観をしている。熱交換部２１は、内外を連通させる複数の吸込み口２１ｂ，・・・と、内部に収容される熱交換器２１ａとを備えている。また、熱交換部２１の一側には、床下空調機２を制御する基盤部２１ｃが設けられる。
【００２６】
この熱交換器２１ａは、冷媒管２３ａ，２３ａによって室外機２３と接続されている。この冷媒管２３ａ，２３ａ内を流れる熱媒体は、室外機２３において外気との熱交換を行うことによって、冷房時には冷やされ、暖房時には暖められる。
【００２７】
そして、熱交換器２１ａに流れ込んだ熱媒体は、吸込み口２１ｂ，・・・から熱交換部２１の内部に流れ込んだ空気と熱交換を行う。すなわち、冷房時には空気が冷やされ、暖房時には空気が暖められる。また、熱交換の際に熱交換部２１で生成された水は、ドレン管２４によって外部に排水される。
【００２８】
一方、送風部２２は、複数のファン２２ａ，・・・と、内外を連通させる複数の吹出し口２２ｂ，・・・とを備えている。このファン２２ａは、熱交換部２１において冷房時には冷やされ、暖房時には暖められた空気を、室内に向けて送り出すためのシロッコファンなどの送風機である。この送風部２２では、一つの吹出し口２２ｂに対して一台のファン２２ａがそれぞれ接続されている。
【００２９】
このように構成された床下空調機２は、熱交換部２１と送風部２２との２つに分割することができる。分割を行う際には、まず図４に示すように、ネジ２１ｇ，・・・を緩めて基盤部２１ｃのケースカバー２１ｊを取り外す。
【００３０】
そして、基盤部２１ｃのリード線２１ｉ，・・・の送風部２２側の端部であるコネクタ部２１ｈを、送風部２２から取り外す。また、リード線２１ｉ，・・・を束ねているコードクランプなども必要に応じて取り外す。さらに、ケースカバー２１ｊを、熱交換部２１の元の位置に付け直す。
【００３１】
配線が分離された熱交換部２１と送風部２２とは、図１に示すようにネジ（図示省略）を外すことで２つに分割することができる。２つに分割された床下空調機２は、床下空間１ａにおいて、図５に示すように熱交換部２１と送風部２２の対峙させる一方の側部間が、蝶番金具２１ｄ及びネジ２１ｅ，・・・によって開閉自在に連結される。
【００３２】
ところで床下空調機２の内部には温度調整後の空気が充満されるため、床下空間１ａの空気との温度差によっては結露が発生することになる。また、床下空調機２から冷熱又は温熱が床下空間１ａに放出されてしまうと、運転効率が低下することになる。そこで、床下空調機２の外周を断熱材５１Ａ−５１Ｆで覆うことで、結露の発生及び放熱を防ぐ。この断熱材５１Ａ−５１Ｆには、発泡スチロール、グラスウールなどが使用できる。
【００３３】
また、吸込みグリル２５ａから取り込まれた空気及び床下空調機２によって温度調整された空気による結露の発生及び放熱を防ぐために、吸込みグリル２５ａと吸込み口２１ｂとの間には断熱ダクト２５を配管し、吹出し口２２ｂと吹出しグリル２６ａとの間には断熱ダクト２６を配管する。断熱ダクト２５，２６には、外周がグラスウールなどの断熱材で被覆されたダクト管が使用できる。
【００３４】
続いて床１１に対して行われる補強について説明する。図１に示すように、既設の床１１を切断して開口部１１ａを設けるに際して、その下方の床小梁１３Ａ及び床根太１４Ａ，１４Ａも切断することになる。ここで床小梁１３Ａの切断面を、切断端部１３１，１３１とする。
【００３５】
開口部１１ａは、床下空調機２等を床下空間１ａに設置した後に、図２，１０に示すように蓋部１１ｂで塞ぐ。開口部１１ａの内周縁には、蓋受木桟（図示省略）を取り付け、その上に蓋部１１ｂを載せる。さらに、蓋部１１ｂと床１１との境界には、床見切（図示省略）を配置する。
【００３６】
そして、開口部１１ａを挟んで対向する床小梁１３，１３間には、図７に示すように、一対の縦補強梁３１，３１が略平行に架け渡される。床小梁１３に略直交させた縦補強梁３１は、両端の端接合部３１ａ，３１ａを介して床小梁１３，１３の側面にそれぞれ接合される。
【００３７】
また、縦補強梁３１，３１の間隔は、長方形の開口部１１ａの短辺の長さと略同じにする。このような縦補強梁３１は、図７，１０に示すように断面視略コ字状の溝形鋼（Ｃ形鋼）によって形成される。
【００３８】
そして、縦補強梁３１，３１間に一対の横補強梁３２，３２が略平行に架け渡される。縦補強梁３１に略直交させた横補強梁３２は、図７，８に示すように、両端の端片部３２ａ，３２ａを介して縦補強梁３１，３１の側面にそれぞれ接合される。この接合は、ドリルネジ３３などによって行われる。
【００３９】
このような横補強梁３２は、断面視略コ字状の溝形鋼（Ｃ形鋼）によって形成される。また、長方形の鋼板を、端片部３２ａとして横補強梁３２の端部に溶接などによって一体化させる。このようにして縦補強梁３１，３１と横補強梁３２，３２とによる梯子状（井桁状）の枠体３が形成される。
【００４０】
横補強梁３２，３２の間隔は、長方形の開口部１１ａの長辺の長さと略同じにする。この横補強梁３２，３２に支持枠部４が吊り下げられる。支持枠部４は床下空調機２の両側に設けられるため、横補強梁３２，３２の間隔は床下空調機２の幅に合わせて設定される。要するに、床下空調機２の幅に合わせて開口部１１ａの幅も設定される。
【００４１】
支持枠部４は、図６に示すように、床下空調機２を下から受ける一対の受金具４１Ａ，４１Ｂと、それぞれの受金具４１Ａ，４１Ｂから垂直上方に延びる複数の吊金具（４２Ａ，４３Ａ，４２Ｂ，４３Ｂ）とによって主に構成される。
【００４２】
上述したように床下空調機２には、基盤部２１ｃがある側面とない側面とがある。図６の右側の受金具４１Ａ及び吊金具（４２Ａ，４３Ａ）によって構成される第１側枠４ａが基盤部２１ｃのある側面側に取り付けられ、受金具４１Ｂ及び吊金具（４２Ｂ，４３Ｂ）よって構成される第２側枠４ｂが反対側の側面に取り付けられる。
【００４３】
受金具４１Ａ，４１Ｂは、断面視略Ｌ字状のＬ形鋼によって形成される。また、基盤部２１ｃ側の受金具４１Ａには、一方の端部に張出部４４１が形成される。
【００４４】
一方吊金具（４２Ａ，４２Ｂ，４３Ａ，４３Ｂ）には、受金具４１Ａ，４１Ｂの長手方向中央付近に取り付けられる中吊金具４２Ａ，４２Ｂと、端部に取り付けられる端吊金具４３Ａ，４３Ｂとがある。後述するように中吊金具４２Ａ（４２Ｂ）と端吊金具４３Ａ（４３Ｂ）との間隔は、横補強梁３２の長さ内に収まる範囲で設定される。
【００４５】
中吊金具４２Ａ，４２Ｂは、柱状に立てられる断面視略Ｌ字形の本体部４２１と、上端に形成される上面板４２２とを有している。また、基盤部２１ｃ側の中吊金具４２Ａの下面は、底面板（図示省略）によって塞がれている。
【００４６】
この底面板にボルト４５を通してナット４５ａを締め付けることによって、受金具４１Ａに中吊金具４２Ａを固定する。これに対して中吊金具４２Ｂは、本体部４２１に通されたボルト４５によって受金具４１Ｂに固定される。
【００４７】
端吊金具４３Ａ，４３Ｂは、柱状に立てられる断面視略Ｌ字形の本体部４３１と、上端に形成される上面板４３２とを有している。また、基盤部２１ｃ側の端吊金具４３Ａの下面は、底面板（図示省略）によって塞がれている。
【００４８】
この底面板にボルト４５を通してナット４５ａを締め付けることによって、受金具４１Ａに端吊金具４３Ａを固定する。これに対して端吊金具４３Ｂは、本体部４３１に通されたボルト４５によって受金具４１Ｂに固定される。ここで、地盤に対峙させるボルト４５，・・・の下面には、防湿フィルムが貼り付けられる。
【００４９】
このようにして組み立てられる支持枠部４は、床下空調機２の両側に第１側枠４ａと第２側枠４ｂとがそれぞれ取り付けられる。床下空調機２の下面側の四隅には、固定金具２１ｆ，２１ｆ，２２ｃ，２２ｃがそれぞれ取り付けられている（図３参照）。
【００５０】
これらの固定金具２１ｆ，２１ｆ，２２ｃ，２２ｃと受金具４１Ａ，４１Ｂの両端とにボルト４５，・・・を通して、ナット４５ａ，・・・を締め付けることによって床下空調機２に第１側枠４ａと第２側枠４ｂを固定する。
【００５１】
一方、吊金具（４２Ａ，４２Ｂ，４３Ａ，４３Ｂ）の上端は、図７，８に示すように枠体３を構成する横補強梁３２，３２に固定される。詳細には横補強梁３２の下フランジに上方から通された吊ボルト４６の先端を、端吊金具４３Ｂの上面板４３２の穴に通す。また、吊ボルト４６の先端には、ナット（図示省略）が装着される。
【００５２】
さらに、横補強梁３２の下フランジと上面板４３２との間には、床下空調機２の水平を調整するために必要な枚数の高さ調整プレートが装着される。この高さ調整プレートは、平面視略Ｕ字状に形成されていて、吊ボルト４６に側方から嵌めることができる。そして、ナットを締めると、中吊金具４２Ｂが持ち上げられるので、所定の高さで水平に床下空調機２を吊り下げることができるようになる。
【００５３】
また、床下空調機２の側面と枠体３を構成する横補強梁３２との間には、下方に突出する振止め金具３４を介在させる。この振止め金具３４は、Ｌ金具によって形成される。この振止め金具３４の上面を、ボルト３４ａとナット３４ｂを使って横補強梁３２の下フランジに固定する。
【００５４】
次に、本実施の形態の床下空調機２の設置方法について、図面を参照しながら説明する。まず、図２に示すように、ユニット建物１０の居室又は非居室の床１１の適切な箇所を、長方形に切断して開口部１１ａを設ける。この開口部１１ａは、熱交換部２１と送風部２２とに分割された床下空調機２のそれぞれのパーツを床上から床下空間１ａに搬入できる大きさにする。
【００５５】
また、開口部１１ａに露出する床小梁１３Ａ及び床根太１４Ａ，１４Ａは、図１に示すように切断して、切り離された部材は撤去する。さらに、床下空間１ａの地面には、必要に応じてソイルカバー１６を敷設しておく。
【００５６】
また、後述する工程と前後又は並行して、床１１に設けた開口部１１ａや基礎開口１５ａなどを利用することによって、図２に示した室外機２３の設置、冷媒管２３ａ，２３ａ及びドレン管２４の配管、吸込みグリル２５ａ及び吹出しグリル２６ａの設置、断熱ダクト２５，２６の配管、分電盤２７に繋がる電源線２７ａの配線、リモコン２８の取り付けなどを行う。
【００５７】
そして、図１に示すように床下空調機２を熱交換部２１と送風部２２とに分割して、それぞれの下面には防湿フィルムや断熱材などの遮蔽材５２，５２を貼り付ける。また、開口部１１ａからの搬入や組み立ての障害にならない断熱材５１Ａ，５１Ｃは、予め貼り付けておく。
【００５８】
続いて、開口部１１ａから床下空間１ａに熱交換部２１と送風部２２とをそれぞれ搬入する。床下空間１ａに搬入された熱交換部２１と送風部２２は、図５に示すように蝶番金具２１ｄとネジ２１ｅ，・・・とによって開閉自在になるように組み立てられる。
【００５９】
また、床下空間１ａにおいて、図４に示すようにケースカバー２１ｊを外して、リード線２１ｉ，・・・のコネクタ部２１ｈを送風部２２の背面の挿込み口に挿し込む。
【００６０】
さらに、必要に応じてコードクランプなどでリード線２１ｉ，・・・を束ねたり固定したりする。そして、ケースカバー２１ｊを元の位置に戻してネジ２１ｇ，・・・を締め付けることで、熱交換部２１の側面に固定する。これによって床下空調機２が分割前の状態に戻ったことになる。
【００６１】
一方、床上では、支持枠部４の組み立てを行う。第１側枠４ａは、受金具４１Ａと中吊金具４２Ａと端吊金具４３Ａとボルト４５，・・・とナット４５ａ，・・・を使って組み立てる。また、第２側枠４ｂは、受金具４１Ｂと中吊金具４２Ｂと端吊金具４３Ｂとボルト４５，・・・とナット４５ａ，・・・を使って組み立てる。ここで、受金具４１Ａ，４１Ｂの下面側に露出したボルト４５の頭部は、防湿フィルムで覆う。
【００６２】
このようにして床上で組み立てられた第１側枠４ａと第２側枠４ｂは、開口部１１ａから床下空間１ａにそれぞれ運ばれる。そして、図６に示すように床下空調機２の基盤部２１ｃ側の側面には第１側枠４ａを取り付け、反対側には第２側枠４ｂを取り付ける。
【００６３】
第１側枠４ａ及び第２側枠４ｂは、受金具４１Ａ，４１Ｂのそれぞれの両端を床下空調機２の固定金具２１ｆ，２２ｃの位置に合わせ、ボルト４５とナット４５ａを使うことで固定される。
【００６４】
また、熱交換部２１と送風部２２の境界や固定金具２２ｃの周辺などの予め貼り付けておくことができなかった箇所に、接着剤５３を塗布した断熱材５１Ｄ，５１Ｅを貼り付ける。
【００６５】
続いて開口部１１ａの周囲に枠体３を組み立てる。まず、図７に示すように床小梁１３，１３間に縦補強梁３１，３１を架け渡す。縦補強梁３１の両端の端接合部３１ａ，３１ａは、床小梁１３，１３の側面にそれぞれ接合させる。また、縦補強梁３１の外側の側面には、切断された床小梁１３Ａの切断端部１３１を接触させ、中間接合部３１ｂによって接合させる。
【００６６】
一方、縦補強梁３１，３１の内側面間には、横補強梁３２，３２をそれぞれ架け渡す。すなわち図８に示すように、横補強梁３２の端片部３２ａを縦補強梁３１のウェブに接触させ、ドリルネジ３３，３３をねじ込んで接合を行う。また、切断された床根太１４Ａ，１４Ａの端部は、横補強梁３２に沿って取り付けられた根太受部３５の上面に載せる。
【００６７】
このようにして床小梁１３，１３間に固定された枠体３に、支持枠部４を吊り下げる。手順としてはまず、中吊金具４２Ａ，４２Ｂ及び端吊金具４３Ａ，４３Ｂと横補強梁３２とを吊ボルト４６及びナットで繋ぐ。
【００６８】
そして、床下空調機２の上面を水平にするために必要な枚数の高さ調整プレート（図示省略）を、横補強梁３２の下フランジと吊金具（４２Ａ，４２Ｂ，４３Ａ，４３Ｂ）の上面板４２２，４３２との間に嵌める。この状態でナットを締め付けると、支持枠部４とそれに固定された床下空調機２とが一緒に持ち上がり、枠体３に吊り下げられた状態になる。
【００６９】
さらに、床下空調機２と断熱材５１Ａとの間に振止め金具３４の下向きの突出片を挿し込み、横補強梁３２にボルト３４ａとナット３４ｂで固定する。この振止め金具３４は、床下空調機２の左右両側に取り付ける。
【００７０】
続いて図９に示すように、断熱材５１Ｂ，５１Ｆを床下空調機２の上面に配置する。ここで、熱交換部２１の上面と床１１との間に挿し込む断熱材５１Ｆ，５１Ｆの下面には、接着剤５３を塗布して床下空調機２に接合させる。
【００７１】
これに対して開口部１１ａの蓋部１１ｂの下に配置される断熱材５１Ｂ，５１Ｂには、接着剤５３を塗布せずに取り外しが自在にできるようにしておく。こうしておくことで、空調システムの使用開始後のメンテナンス（維持管理）を開口部１１ａから行うことができるようになる。
【００７２】
次に、本実施の形態の空調システム及び床下空調機２の設置方法の作用について説明する。
【００７３】
このように構成された本実施の形態の空調システムでは、床１１に開口部１１ａが開口されるとともに、床下空調機２は開口部１１ａを通過可能な大きさに分割可能な構成となっている。
【００７４】
このため、床下空間１ａに設置される床下空調機２の維持管理を容易に行うことができる。すなわち、建物の新築時に床下空調機を設置する場合は、床１１に開口部１１ａを設けなくても床下空間１ａに配置することができる。また、分割可能な床下空調機を設置する必要もない。しかしながら床下空調機が故障などした場合は、作業員が基礎開口１５ａから入って床下空間１ａを移動して床下空調機を設置した場所に辿りつくまでに困難を伴うことになる。さらに、床下空調機を床下空間１ａから運び出すのに更なる困難を伴う。また、床下空間１ａで分解して修理するにも、通常は容易に分割することはできない。
【００７５】
これに対して本実施の形態の空調システムであれば、床下空調機２の真上又は近接した箇所に開口部１１ａが設けられているので、作業員は蓋部１１ｂを開けて断熱材５１Ｂ，５１Ｂを取り外すだけで、容易に床下空調機２に辿りつくことができる。
【００７６】
また、床下空調機２が熱交換部２１と送風部２２とに分割されるとともに、熱交換部２１と送風部２２とが開閉可能に連結される構成となっているので、床１１の上から床下空間１ａへの搬入が容易にできるうえに、使用後も床下空調機２を開いて容易に修理などを行うことができる。
【００７７】
さらに、本実施の形態の床下空調機２の設置方法では、ユニット建物１０の床１１を切断して開口部１１ａを設け、その開口部１１ａを通過可能な大きさに分割された床下空調機２の熱交換部２１と送風部２２とをそれぞれ床下空間１ａに搬入する。このため、既設のユニット建物１０の床下空間１ａに床下空調機２を設置して、空調システムを構築することができる。
【００７８】
以上、図面を参照して、本発明の実施の形態を詳述してきたが、具体的な構成は、この実施の形態に限らず、本発明の要旨を逸脱しない程度の設計的変更は、本発明に含まれる。
【００７９】
例えば、前記実施の形態では、既設の住宅であるユニット建物１０を改修する場合について説明したが、これに限定されるものではなく、住宅を新築する場合にも本発明を適用できる。また、本発明の適用可能な建物は、上述したユニット建物１０に限定されるものではない。
【００８０】
さらに、前記実施の形態では、室内機に分類される床下空調機２を空調装置として説明したが、これに限定されるものではなく、室内機と室外機とが一体になった構造の空調装置であっても、本発明を適用することができる。
【符号の説明】
【００８１】
１０          ユニット建物（建物）
１ａ          床下空間（床の下方空間）
１１          床
１１ａ        開口部
２            床下空調機（空調装置）
２１          熱交換部
２１ｄ        蝶番金具
２２          送風部
【図１】
2015114034.tif 000003
【図２】
2015114034.tif 000004
【図３】
2015114034.tif 000005
【図４】
2015114034.tif 000006
【図５】
2015114034.tif 000007
【図６】
2015114034.tif 000008
【図７】
2015114034.tif 000009
【図８】
2015114034.tif 000010
【図９】
2015114034.tif 000011
【図１０】
2015114034.tif 000012